【手続補正書】
【提出日】平成26年3月11日(2014.3.11)
【手続補正１】
【補正対象書類名】特許請求の範囲
【補正対象項目名】全文
【補正方法】変更
【補正の内容】
【特許請求の範囲】
【請求項１】
収納すべき用紙を折り曲げたサイズのファイルノートにおいて、
表表紙及び裏表紙と、
該表表紙の一側縁部及び裏表紙の一側縁部のうちの一方に固着され、他方に取外し可能に取付けられ、上記表表紙と裏表紙とを連続させる背表紙と、
透明又は半透明のファイルは一側縁が開口された袋状をなし、複数のファイルが相互に重ねられ、隣接するファイルの開口外縁部が相互に固着され、上記表表紙側のファイル及び裏表紙側のファイルの開口外縁部が上記表表紙の一側縁部及び裏表紙の一側縁部に固着されており、上記用紙が上記取外された背表紙及びファイルの開口を介して隣接する２つのファイルにわたって差込み可能であるファイル頁と、
を備えたことを特徴とするファイルノート。
【請求項２】
上記背表紙はファスナー又はボタンによって上記表表紙又は裏表紙のうちの一方の一側縁部に取外し可能に取付けられている請求項１記載のファイルノート。
【請求項３】
上記ファイル頁は複数の各ファイルの他側縁が開口され、上記用紙が上記他側縁の開口から上記一側縁の開口を介して隣接する２つのファイルにわたって差込み可能である請求項１記載のファイルノート。
【請求項４】
収納すべき用紙を折り曲げたサイズのファイルノートにおいて、
表表紙及び裏表紙と、
上記表表紙と裏表紙とを連続させる背表紙と、
透明又は半透明のファイルは対向する一側縁及び他側縁が開口され、複数のファイルが相互に重ねられ、隣接するファイルの一側縁の開口外縁部が相互に固着され、上記表表紙側のファイルの一側縁の開口外縁部及び裏表紙側のファイルの一側縁の開口外縁部が上記表表紙の一側縁部及び裏表紙の一側縁部に固着されており、上記用紙がファイルの他側縁の開口から一側縁の開口を介して隣接する２つのファイルにわたって差込み可能であるファイル頁と、
を備えたことを特徴とするファイルノート。
【請求項５】
上記表表紙、裏表紙及びファイル頁が、規格サイズの用紙の１／２のサイズの矩形状をなしている請求項１又は４記載のファイルノート。
【手続補正２】
【補正対象書類名】明細書
【補正対象項目名】全文
【補正方法】変更
【補正の内容】
【発明の詳細な説明】
【発明の名称】ファイルノート
【技術分野】
【０００１】
本発明はファイルノートに関し、特に大判の書類を収納できてコンパクトで嵩張らず、しかも複数のファイルを重ねてノートにできるようにしたファイルノートに関する。
【背景技術】
【０００２】
Ａ３判など大判の書類を携帯しあるいは保管する場合にＡ３判の１／２サイズであるＡ４判のファイルを用いると、Ａ３判の書類を２つに折り畳んでＡ４判ファイルに収納する必要があり、書類の中央に折り目ができ、長期間折り畳んだままにしておくと、折り目の箇所の文字や線が消えてしまうことがあった。さらには、Ａ３判の書類全体を見たい場合にはファイルの表と裏を頻繁にひっくり返す必要があって煩わしい。
【０００３】
これに対し、Ａ３判のファイルの上辺の差込み口からＡ３判の書類を差し込み、Ａ３判のファイルをＡ４判サイズに中央で丸みをもたせて折り曲げるようにしたファイルが提案されている（特許文献１）。
【先行技術文献】
【特許文献】
【０００４】
【特許文献１】特開２０１０−２０１８３１号公報
【発明の開示】
【発明が解決しようとする課題】
【０００５】
しかるに、特許文献１記載のファイルではファイルを開くとＡ３判の書類全体を見ることができ、ファイルの表と裏を頻繁にひっくり返す必要がなく、煩わしさはないものの、中央の丸みが大きいので、嵩張ってしまい、複数のファイルを重ねてノートにすることができない。
【０００６】
本発明はかかる問題点に鑑み、大判の書類を収納できてコンパクトで嵩張らず、しかも複数のファイルを重ねてノートにできるようにしたファイルノートを提供することを課題とする。
【課題を解決するための手段】
【０００７】
本発明に係るファイルノートは、収納すべき用紙を折り曲げたサイズのファイルノートにおいて、表表紙及び裏表紙と、該表表紙の一側縁部及び裏表紙の一側縁部のうちの一方に固着され、他方に取外し可能に取付けられ、上記表表紙と裏表紙とを連続させる背表紙と、透明又は半透明のファイルは一側縁が開口された袋状をなし、複数のファイルが相互に重ねられ、隣接するファイルの開口外縁部が相互に固着され、上記表表紙側のファイル及び裏表紙側のファイルの開口外縁部が上記表表紙の一側縁部及び裏表紙の一側縁部に固着されており、上記用紙が上記取外された背表紙及びファイルの開口を介して隣接する２つのファイルにわたって差込み可能であるファイル頁と、を備えたことを特徴とする。
【０００８】
本発明の特徴の１つは収納すべき用紙を折り曲げたサイズのファイルの一側縁を開口させ、複数のファイルを重ね、隣接する開口外縁部を固着するとともに、最外側ファイルの開口外縁部を表裏の表紙の一側縁部に固着する一方、背表紙を表表紙又は裏表紙に対して取外し可能とした点にある。
【０００９】
これにより、背表紙を取外し、取外した背表紙及び開口から用紙を差し入れて隣接する２つのファイルにわたって差し込めることができ、大判の用紙を２つに折り畳むことなくファイルに収納でき、嵩張らず、携帯や保管に便利である。
【００１０】
また、２つのファイルを開くと、大判の用紙全体を見ることができ、ファイルの表と裏をひっくり返す必要がなく、使用の煩わしさがない。
【００１１】
ファイルノートは用紙を折り曲げたサイズであればよく、特に形状は限定されないが、市販の用紙の形状を考慮すると、Ａ３判、Ａ４判、Ｂ４判、Ｂ５判などの規格サイズの用紙の１／２のサイズの矩形状を採用するのがよい。
【００１２】
ここで、背表紙はファスナー（面ファスナーや線状ファスナー）又はボタンによって表表紙又は裏表紙のうちの一方の一側縁部に取外し可能に取付けることができる。
【００１３】
また、ファイルの一側縁を開口させたが、他側縁を開口させると、背表紙を取外すことなく、用紙を他側縁の開口から、一側縁の開口を介して隣接する２つのファイルにわたって差し込むことができ、便利である。
【００１４】
本発明によれば、収納すべき用紙を折り曲げたサイズのファイルノートにおいて、表表紙及び裏表紙と、上記表表紙と裏表紙とを連続させる背表紙と、透明又は半透明のファイルは対向する一側縁及び他側縁が開口され、複数のファイルが相互に重ねられ、隣接するファイルの一側縁の開口外縁部が相互に固着され、上記表表紙側のファイルの一側縁の開口外縁部及び裏表紙側のファイルの一側縁の開口外縁部が上記表表紙の一側縁部及び裏表紙の一側縁部に固着されており、上記用紙がファイルの他側縁の開口から一側縁の開口を介して隣接する２つのファイルにわたって差込み可能であるファイル頁と、を備えたことを特徴とするファイルノートを提供することができる。
【図面の簡単な説明】
【００１５】
【図１】本発明に係るファイルノートの好ましい実施形態を示す全体概略斜視図である。
【図２】上記実施形態における使用方法の１例を示す斜視図である。
【図３】使用方法の他の例を示す斜視図である。
【図４】第２の実施形態を示す斜視図である。
【発明を実施するための形態】
【００１６】
以下、本発明を図面に示す具体例に基づいて詳細に説明する。図１ないし図３は本発明に係るファイルノートの好ましい実施形態を示す。本例のファイルノートは例えばＡ４判の矩形状をなし、表表紙１０、裏表紙１１、背表紙１２及びファイル頁１５から構成され、表表紙１０の一側縁部には背表紙１２の一側縁部が接着剤、糊、ヒートシールなどによって固着され、背表紙１２の他側縁部は雌雄の面ファスナー（フック＆ループファスナー）１３、１４によって取外し可能に取付けられ、表表紙１０と裏表紙１１とは背表紙１２によって連続されている。
【００１７】
ファイル頁１５は複数枚の透明（又は半透明）ファイル１６を重ねて構成され、ファイル１６の対向する一側縁及び他側縁は用紙２０の差込み口（開口）１６Ａ、１６Ｂが開設されている。
【００１８】
複数のファイル１６のうち、隣接するファイル１６の一側縁の差込み口１６Ａ外縁部は相互に接着剤、糊、ヒートシールなどによって固着され、複数のファイル１６のうち、表表紙１０側及び裏表紙１１側のファイル１６の一側縁の差込み口１６Ａ外縁部は表表紙１０の一側縁部及び裏表紙１１の一側縁部に接着剤、糊、ヒートシールなどによって固着されている。
【００１９】
例えば、Ａ３判の用紙２０をファイルノートに収納する場合、図２に示されるように、背表紙１２を裏表紙１１から外して開く。すると、ファイル頁１５の複数のファイル１６の差込み口１６Ａが露出するので、用紙２０の一方の側縁を隣接する２つのファイル１６のうち、一方のファイル１６の差込み口１６Ａに差し込むとともに、用紙２０の他方の側縁を隣接する他方のファイル１６の差込み口１６Ａに差し込み、用紙２０を２つのファイル１６にわたって差し込むことができると、背表紙１２を裏表紙１１に取り付ければ、元のファイルノートに戻すことができる。
【００２０】
この状態ではＡ３判の用紙２０をＡ４判のファイルノートに収納でき、嵩張らず、携帯や保管に便利である。
【００２１】
また、２つの隣接するファイル１６を開くと、Ａ３判の用紙２０の全体を見ることができ、ファイル１６の表と裏をひっくり返す必要がないので、使用の煩わしさがない。
【００２２】
また、図３に示されるように、隣接する２つのファイル１６のうち、一方のファイル１６の他側縁の差込み口１６Ｂに用紙２０の側縁を差込み、一側縁の差込み口１６Ａから突き出させ、折り返して隣接する２つのファイル１６のうち、他方のファイル１６の一側縁の差込み口１６Ａに差込み、他側縁の差込み口１６Ｂに向けて挿通させると、用紙２０を隣接する２つのファイル１６にわたって差し込むことができる。
【００２３】
このとき、背表紙１２を裏表紙１２から取外すと、用紙２０の側縁を他方のファイル１６の一側縁の差込み口１６Ａに差込み、他側縁の差込み口１６Ｂに向けて挿通させるときに作業がしやすい。
【００２４】
また、背表紙１２を脱着することなく、用紙２０の側縁を他方のファイル１６の一側縁の差込み口１６Ａに差込み、他側縁の差込み口１６Ｂに向けて挿通させることもできる。この作業方法が採用できる場合には背表紙１２を裏表紙１１に取外し可能に構成する必要はない。
【００２５】
背表紙１２は雌雄の面ファスナー１３、１４ではなく、線状のファスナーやボタンによって取外し可能に取付けるようにしてもよい。
【００２６】
図４は第２の実施形態を示す。図において、図１ないし図３と同一符号は同一又は相当部分を示す。本例ではファイル１０の他側縁は閉鎖されて差込み口１０Ｂは形成されていいない。このように、ファイル１０は一側縁の差込み口１０Ａのみを形成したものであってもよい。
【符号の説明】
【００２７】
１０      表表紙
１１      裏表紙
１２      背表紙
１３、１４      面ファスナー
１５      ファイル頁
１６      ファイル
１６Ａ、１６Ｂ      差込み口（開口）
２０      用紙